(57)【要約】  追加のアダプタを必要とせずに流体の吸引用途および流体の導入用途の両方に用いることができるコネクタを提供する。追加のゴムスリーブおよび／または追加の経腸栄養アダプタを必要とせずに、真空チューブまたは経腸栄養コネクタへの直接接続が可能である。一実施例では、第１円筒部は、外面に沿った少なくとも一つの突起を有する。第２円筒部も備えられ、第１円筒部に対して同軸配置される。第２円筒部は、第１円筒部内に第１端部を、第１円筒部外に第２端部を有する。第２円筒部は、複数の内径を形成する段状内腔を有することができ、第１円筒部よりも柔軟な材料で形成できる。二重用途アダプタを形成するための方法も提供する。
2007532274.tif 000002
【特許請求の範囲】
【請求項１】
二重用途アダプタであって、
外面に沿った少なくとも一つの突起を有する第１円筒部と、
前記第１円筒部に対して同軸配置され、前記第１円筒部内に第１端部、および前記第１円筒部外に第２端部を有するとともに、複数の内径を形成する段状内腔を有する第２円筒部とを備え、
前記第２円筒部は、前記第１円筒部よりも柔軟な材料で形成された、
二重用途アダプタ。
【請求項２】
複数の内径の内の少なくとも２つが、経腸栄養コネクタの複数の外径とはめ合う請求項１の二重用途アダプタ。
【請求項３】
前記第２円筒部が、段差間でテーパの付いた内径を有する請求項１の二重用途アダプタ。
【請求項４】
前記第１円筒部が、前記第１円筒部の外周に取り付けられたチューブを保持するよう構成された、外面に沿った複数の周方向突起を有する請求項１の二重用途アダプタ。
【請求項５】
前記第１円筒部が、外面に沿った複数の周方向突起を有し、前記周方向突起の内の少なくとも２つは、異なる外径を有する請求項１の二重用途アダプタ。
【請求項６】
前記第２円筒部は、前記第２端部の遠位端部に近づくにつれて直径が減少する前記第２端部のテーパ付外径を有する請求項１の二重用途アダプタ。
【請求項７】
前記第２円筒部は、前記第２端部の遠位端部に近づくにつれて直径が増加する前記第２端部のテーパ付内径を有する請求項６の二重用途アダプタ。
【請求項８】
前記第２円筒部の前記第２端部の遠位端部は、丸み付外側縁部および面取りされた内側縁部を有する請求項７の二重用途アダプタ。
【請求項９】
外面に沿った前記少なくとも一つの突起は、周方向突起である請求項１の二重用途アダプタ。
【請求項１０】
外面に沿った前記少なくとも一つの突起は、前記第２円筒部の前記第１端部が、前記第２円筒部の前記第２端部に面する場所から離れるに従って直径が増加するテーパ付外径である、請求項１の二重用途アダプタ。
【請求項１１】
外面に沿った前記少なくとも一つの突起は、少なくとも一つの鉤状部である請求項１の二重用途アダプタ。
【請求項１２】
前記第１円筒部が、ポリカーボネートで形成されている請求項１の二重用途アダプタ。
【請求項１３】
前記第２円筒部が、ポリ塩化ビニールで形成されている請求項１の二重用途アダプタ。
【請求項１４】
前記第１円筒部が第１色を有し、前記第２円筒部が前記第１色と異なる第２色を有する請求項１の二重用途アダプタ。
【請求項１５】
前記第１円筒部が、バルブ筐体と一体形成されている請求項１の二重用途アダプタ。
【請求項１６】
二重用途アダプタであって、
外面に沿った少なくとも一つの突起を有する第１円筒部と、
前記第１円筒部に対して同軸配置され、前記第１円筒部内に第１端部、および前記第１円筒部外に第２端部を有し、前記第２端部は、前記第２端部の遠位端部に近づくにつれて直径が減少するテーパ付外径を有するとともに、前記第２端部は、前記第２端部の遠位端部に近づくにつれて直径が増加するテーパ付内径を有する第２円筒部とを備える二重用途アダプタ。
【請求項１７】
前記第２円筒部は、前記第１円筒部よりも柔軟な材料で形成される請求項１６の二重用途アダプタ。
【請求項１８】
前記第２円筒部の前記第２端部の前記遠位端部は、丸み付外側縁部および面取りされた内側縁部を有する請求項１６の二重用途アダプタ。
【請求項１９】
前記第２円筒部が、複数の内径を形成する段状内腔を有する請求項１６の二重用途アダプタ。
【請求項２０】
外面に沿った前記少なくとも一つの突起は、少なくとも一つの鉤状部である請求項１６の二重用途アダプタ。
【請求項２１】
前記第１円筒部が、バルブ筐体と一体形成されている請求項１６の二重用途アダプタ。
【請求項２２】
受入端部を有する二重用途アダプタであって、
外面に沿った少なくとも一つの周方向突起を有する第１円筒部と、
前記第１円筒部に対して同軸配置され、前記第１円筒部内に第１端部、および前記第１円筒部外で前記二重用途アダプタの前記受入端部において第２端部を有する第２円筒部とを備え、
前記第２円筒部は、前記第１円筒部よりも柔軟な材料で形成され、
前記受入端部は、真空チューブ内に取り付けるよう構成された、
二重用途アダプタ。
【請求項２３】
前記第２円筒部は、前記第２端部の遠位端部に近づくにつれて直径が増加する前記第２端部のテーパ付内径を有し、前記内径は、前記第２円筒部の前記第１端部に近づくにつれて直径が減少する段状内径を含む請求項２２の二重用途アダプタ。
【請求項２４】
更に、前記二重用途アダプタの前記受入端部の反対側の前記第１円筒部の端部に配置されるバルブ筐体を備える請求項２２の二重用途アダプタ。
【請求項２５】
二重用途アダプタを形成する方法であって、
外面に沿った少なくとも一つの突起を有するとともに、第１内腔を有する第１円筒部を提供し、
前記第１円筒部より柔軟な材料で形成され、複数の内径を形成する段状内腔を有する第２円筒部を提供し、
前記第２円筒部が第１円筒部内に第１端部を有し前記第１円筒部外に第２端部を有するように、前記第２円筒部を部分的に前記第１円筒部に固定する、
ことを特徴とする方法。
【請求項２６】
前記固定する行為は、接着を含む請求項２５の方法。
【請求項２７】
前記固定する行為は、インサート成形を含む請求項２５の方法。
【請求項２８】
前記固定する行為は、共成形を含む請求項２５の方法。
【請求項２９】
更に、前記第１円筒部と結合され前記第１内腔と連通するバルブ筐体を提供することを含む請求項２５の方法。
【発明の詳細な説明】
【発明の詳細な説明】
【０００１】
関連出願の参照
本出願は、Ｓｈｉａ他により２００３年１０月２８日に出願され、米国を指定するＰＣＴ出願であるＰＣＴ／ＵＳ２００３／０３４１２９号の一部継続出願であり、Ｓｗｉｓｈｅｒにより２００４年４月２３日に出願された米国特許仮出願第６０／５６４，７１８号への優先権および恩恵を請求する。これら出願の全ての内容を引用して本明細書に組み込む。
【０００２】
技術分野
本発明は、一般に医療装置で用いるためのアダプタに関し、より詳細には、吸引チューブおよび経腸栄養コネクタに結合するために、交互に用いることのできる二重用途のアダプタに関する。
【０００３】
発明の背景
各種の医療システムが、患者から流体を導入および／または除去するために用いられる。かかる例の一つには経鼻胃チューブが含まれる。これは、通常、病院、老人ホーム、および養護施設で、対象者の胃腸管（ＧＩ管）から流体を吸引する等、対象者の身体から流体を除去したり、または、栄養剤、栄養補助剤、および医薬品等の流体を患者に導入したりするために用いられる。
【０００４】
従来の使用例では、医師が、柔軟なプラスチック経鼻胃チューブの遠位端部をいずれかの鼻孔を経由して対象者の鼻管を通じて導入する。前記遠位端部は咽頭を通過して、食道を下降し、ＧＩ管に至る。前記遠位端部は、例えば、流体吸引、医薬品導入、栄養補給等の特定用途に応じて、十二指腸、胃等に達することができる。胃液、栄養剤、医薬品等が通過できる幾つかの開口部が前記遠位端部に形成されている。
【０００５】
経鼻胃チューブの近接端部は、鼻孔を出て、コネクタを介して吸引源または供給ポンプに接続することができる。流体吸引用途では、胃液が、吸引源によって、前記遠位端部の開口部を通じ、通路を通って、収集容器に引き出される。流体導入用途では、栄養剤、医薬品等が通路に注入され、前記遠位端部の開口部を通じて、例えば、十二指腸に押し出される。
【０００６】
コネクタは、吸引源または供給ポンプに接続される第２チューブに接続される。経鼻胃の配管は、吸引、供給、または注射の導入のためのそれぞれの源と頻繁に切り換えられなければならない。経鼻胃の配管用途を切り換えるために、第２チューブをコネクタから取り外すか、またはコネクタを経鼻胃チューブの近接端部から取り外し、所望の接続を行う。
【０００７】
従来技術のバルブシステムは、幾つかの異なる種類のチューブに接続するよう設計されている。例えば、一つのチューブ接続はサンプチューブ（鼻又は胃用）に固定され、一つは医薬品用であり、もう一つは吸引ラインまたは経腸栄養アダプタ用である。図１に示すように、従来技術のバルブ１０を用いて、胃または鼻チューブ１２、注水装置１４、および固定コネクタ１６の間の選択的接続を提供できる。固定コネクタ１６を用いて、経腸栄養源、または真空源に接続できる。ユーザが連続供給を要求する場合、経腸アダプタ２０を接続するために、ゴムスリーブ１５を固定コネクタ１６の上に追加する必要があるのが普通である。しかしながら、よくあるのは、スリーブ１５が普通は捨てられてしまうか、または置き間違えられて、その機能が果たせないということである。代替として、吸引ライン３０を固定コネクタ１６に接続するのに別のゴムスリーブアダプタ２５が必要である。
【０００８】
経腸栄養用のアダプタ２０は、通常、最初の無菌パッケージに大雑把に詰められており、最初の使用で、または従来技術のバルブを開くと廃棄されることが多い。従来技術のバルブによっては、リングで係留してバルブシステムに保持する経腸栄養用のアダプタを含むこともある。しかしながら、この係留アダプタは大げさで、ユーザまたは臨床医の邪魔になるという問題がある。
【０００９】
概要
経鼻胃の配管またはバルブとの使用に限定されないが、本発明は、追加アダプタを必要とせずに、流体の吸引用途および流体の導入用途の両方に用いることができるコネクタを対象としている。本発明の実施の形態は、追加のゴムスリーブおよび／または追加の経腸栄養アダプタを必要とせずに、真空チューブまたは経腸栄養コネクタへの接続が可能な二重用途アダプタを提供する。
【００１０】
一実施の形態では、本発明は、外面に沿った少なくとも一つの突起を有する第１円筒部を有する二重用途アダプタを提供する。第２円筒部も備えられていて、第１円筒部に対して同軸配置されている。第２円筒部は、第１円筒部内に第１端部を、第１円筒部外に第２端部を有する。第２円筒部は、複数の内径を形成する段状内腔を有し、第１円筒部よりも柔軟な材料で形成されている。
【００１１】
代替の実施の形態では、二重用途アダプタは、第１円筒部および第２円筒部を含む。第２円筒部は、第１円筒部内に第１端部を、第１円筒部外に第２端部を有する。第１円筒部外の第２円筒部は、第２端部の遠位端部に近づくにつれて直径が減少するテーパ付外径、および第２端部の遠位端部に近づくにつれて直径が増加するテーパ付内径を有する。本実施の形態においても、第１円筒部は、外面に沿った少なくとも一つの突起を有し、第２円筒部は、第１円筒部に対して同軸配置される。
【００１２】
別の実施の形態では、二重用途アダプタは、真空チューブ内に取り付けるよう構成した受入端部を備える。第１円筒部は、外面に沿った少なくとも一つの周方向突起を有する。第２円筒部は、第１円筒部に対して同軸配置され、第１円筒部内に端部を有するとともに、二重用途アダプタの受入端部で、第１円筒部外に端部を有する。第２円筒部は、第１円筒部より柔軟な材料で形成される。
【００１３】
本発明の更に別の実施の形態は、二重用途アダプタを形成する方法である。本方法は、外面に沿った少なくとも一つの突起を有するとともに第１内腔を有する第１円筒部を提供する行為と、第１円筒部より柔軟な材料で形成されていて複数の内径を形成する段状内腔を有する第２円筒部を提供する行為、を含む。本方法は、また、第２円筒部を部分的に第１円筒部に固定する行為を含む。第２円筒部は、第１円筒部内に第１端部を有し、第１円筒部外に第２端部を有する。
【００１４】
本発明は、本明細書の説明、および付帯の図面により明らかとなろう。異なる図の全体にわたって、同一参照符号は同一部分を指す。
【００１５】
詳細な説明
本発明は、例えば、幾つかの従来のコネクタを備えた例えば係留アダプタ等の追加アダプタがなくても、流体吸引用途および流体導入用途の両方に用いることのできるコネクタを提供できる。本発明は、また、必要とされることもある多様な接続に適合するための追加ポートの必要性を低減できる。本発明は、バルブと連結して用いることもできる。
【００１６】
図２の実施例により図示する本発明の実施の形態によれば、提供された二重用途アダプタ１００は、近接端部１３０、および遠位端部１３５を有している。アダプタ１００は、例えば、真空チューブ等のチューブの内径とはめ合うための外面１２０をもつ第１の部分１１０を有する。外面１２０には、少なくとも一つの突起１２２が設けられていて、アダプタ１００とはめ合う大きさのチューブを保持するのを助ける。第１の部分１１０は、剛体でもよく、突起１２２は、真空源に接続するための多くの吸引チューブアダプタと互換性のある外側の鉤状部または他の摩擦強化表面特徴を外面１２０上に含んでもよい。突起１２２は、外径に沿って周方向に広がってもよく、または第１の部分１１０の外側の一部だけに沿って配置してもよい。
【００１７】
アダプタ１００の近接端部１３０は、医療装置、配管、バルブ、または他の流体取扱装置に近接端部１３０を固定する等により、患者または他の対象者や医療装置に結合してもよい。一実施例では、第１の部分１１０は、バルブ筐体と一体で形成するか、または固定してもよい（図８）。アダプタ１００の遠位端部１３５は、配管または他の医療装置を受け止めることによる接続のための受入端部を形成するよう構成される。
【００１８】
第２円筒部１４０は、アダプタ１００の遠位端部１３５に配置される。図３の断面図に示すように、第２円筒部１４０の一部は、第１の部分１１０内に配置されている。第２円筒部１４０は、チューブまたはコネクタの外面とはめ合うための内面１４２を有する。第２円筒部１４０は、第１の部分１１０より柔らかい、例えば、より柔軟な構成体とすることができる。第２円筒部１４０の内径は、一つ以上のテーパおよび／または段等を用いることにより変化するようにすることができる。図示の例では、内径は、図４の実施例により示すように、経腸栄養コネクタ１９０の外径とはめ合うよう変化する。第１円筒部１１０を越えて延伸する第２円筒部１４０の外面１５０は、アダプタ１００をチューブに挿入し易くするようテーパにしてもよい。
【００１９】
図５は、第２円筒部１４０の実施例の断面図を示す。本実施例では、内面１４２は、段差１４３間でテーパが付けられている段状の内径を有する。第２円筒部の遠位端部１４４は、面取りされた内側導入縁部１４５および丸み付外側導入縁部１４６を含む。テーパ付外径が外面１５０に沿って同様に施され、第１円筒部１１０と当接する取付けフランジ１５２に至る。取付けフランジ１５２は、第２円筒部１４０に加えられる力を第１円筒部１１０に伝える。第２円筒部１４０の近接端部１５４も同様に、角に丸みを付けてもよく、第２円筒部１４０に加えられる力を第１円筒部１１０に伝え得る。取り付け面１５６と、対応する第１円筒部１１０の内面との間の摩擦面も同様に、第２円筒部１４０に加えられる力を第１円筒部１１０に伝え得る。
【００２０】
第２円筒部１４０は、ゴム状物質で形成してもよく、種々の小径の経腸栄養コネクタと互換性があるよう、第１円筒部１１０内に、接着、インサート成形、共成形、または一体成形されてもよい。一実施例では、アダプタ１００は、ユーザが経腸栄養システムを介して連続供給を行っている間、吸引は行われないという状況で用いられる。例えば、連続吸引、または短時間の間欠的な吸引があるバルブ製品は、ユーザが吸引処理を終了すると連続供給に進む。
【００２１】
第１円筒部は、各種の材料により形成されてもよい。一実施例では、第１円筒部１１０はポリカーボネートで形成される。第２円筒部も同様に、各種の材料により形成されてもよく、その一実施例はポリ塩化ビニール（ＰＶＣ）である。状況に応じて、第１円筒部および第２円筒部は、異なる色で形成してもよい。
【００２２】
図６は、アダプタ１００’の別の実施例の断面図であり、外面１５０に沿ったテーパ付外径がない第２円筒部１４０を有する。本実施例では、突起１２２は、鉤形状である。図７は、第１円筒部１４０の外面１２０に沿った突起１２２を形成するテーパを有するアダプタ１００’’の別の実施例の断面図を提供する。
【００２３】
図８は、アダプタ１００の第１円筒部１１０と一体で形成されるバルブ筐体２１０を有するバルブ２００の実施例を示す。バルブ２００はまた、バルブ２００の作動のための選択ノブ２２０を含む。言うまでもなく、本発明は、各種のバルブおよび流体取扱装置とともに用いてもよい。
【００２４】
別の実施の形態では、本発明は、二重用途アダプタを形成するための方法を含む。その方法は、外面に沿った少なくとも一つの突起をもつ第１円筒部および第１内腔を提供する行為、第１円筒部より柔軟な材料で形成されていて複数の内径を形成する段付内腔を有する第２円筒部を提供する行為を含む。更に、第２円筒部を部分的に第１円筒部に固定する行為も含まれる。第２円筒部は、第１円筒部内に第１端部を、第１円筒部外に第２端部を有する。本方法は、状況に応じて、前記固定する行為の内に、接着、インサート成形、共成形、または一体形成する行為を含んでもよい。追加的な任意のステップには、第１円筒部に結合され、第１内腔と連通する、バルブ筐体を提供する行為が含まれる。
【００２５】
本発明を実施例の方法で説明した。説明した実施の形態の改変および変更は、本発明の精神から逸脱することなく、当該分野の習熟する者にそれ自体を示唆するであろう。上記説明の実施の形態の態様および特性は、組合せて用いてもよい。説明した実施の形態は、単に説明のためであり、決して制限的であると考えてはならない。本発明の範囲は、上記説明によらず、付帯の請求項により推し量るべきであり、請求項の範囲内にある全ての改変および等価物は、その内部に包含すべきであることを意図している。
【図面の簡単な説明】
【００２６】
【図１】従来技術のバルブシステムで用いるための各種アダプタの斜視図である。
【図２】本発明の実施の形態によるアダプタの斜視図である。
【図３】図２のアダプタの断面図である。
【図４】経腸栄養コネクタが中に挿入された図２のアダプタの断面図である。
【図５】図２の第２円筒部の断面図である。
【図６】本発明の実施の形態による別のアダプタの断面図である。
【図７】本発明の実施の形態による別のアダプタの断面図である。
【図８】本発明の実施の形態によるアダプタを含むバルブの斜視図である。
【図１】
2007532274.tif 000003
【図２】
2007532274.tif 000004
【図３】
2007532274.tif 000005
【図４】
2007532274.tif 000006
【図５】
2007532274.tif 000007
【図６】
2007532274.tif 000008
【図７】
2007532274.tif 000009
【図８】
2007532274.tif 000010
【国際調査報告】
2007532274.tif 000011